(57)【要約】【課題】プラグイン端子構造を有する分岐開閉器の操作ハンドルをオンする前に、負荷回路に供給される電圧を、作業性よく確認することができる供給電源電圧測定構造を備えた住宅用分電盤を提供する。【課題を解決するための手段】供給電源の電圧測定構造を、複数の分岐開閉器に対して共通して用いられる、第一の電圧極及び第二の電圧極の母線に夫々設けた母線側電圧測定部と、前記分岐開閉器における前記プラグイン端子側に設けられて、各々の分岐開閉器毎に個別に用いられる分岐開閉器側電圧測定部とを備えて構成し、供給電源電圧の測定器の２本のテストリードの内、一方のテストリードを前記第一又は第二の母線側電圧測定部に当接させたままで、他方のテストリードを各々の前記分岐開閉器側電圧測定部に対して個別に当接させていくことにより、前記分岐開閉器のプラグイン端子間に印加された電源電圧の測定を行えるようにした。【選択図】図１
2011142800.tif 000002
【特許請求の範囲】
【請求項１】
住宅用分電盤に配設された互いに電位の異なる第一の電圧極、第二の電圧極及び中性極の母線の内、所定の２つの母線に接続されるプラグイン端子間に印加された電源電圧を、分岐開閉器に設けられた接点装置を入切する操作ハンドルが入のときに負荷回路に供給する分岐開閉器における、該分岐開閉器から負荷回路に供給する電源電圧の大きさを、各々の分岐開閉器毎に、前記操作ハンドルが切の状態で確認する電源電圧測定構造であって、
前記電源電圧測定構造は、
前記第一の電圧極及び第二の電圧極のそれぞれの母線に設けられて、該母線に接続される複数の分岐開閉器に対して共通して用いられる第一及び第二の母線側電圧測定部と、
前記分岐開閉器において前記接点装置よりも電気的に前記プラグイン端子側に設けられて、
各々の分岐開閉器毎に個別に用いられる分岐開閉器側電圧測定部とを備え、
分岐開閉器の操作ハンドルを切にした状態で、
前記電源電圧の測定に用いる電圧測定器の２本のテストリードの内、
一方のテストリードを前記第一又は第二の母線側電圧測定部に当接させたままで、
他方のテストリードを各々の前記分岐開閉器側電圧測定部に対して個別に当接させていくことにより、
前記分岐開閉器における前記所定の２つの母線に接続されるプラグイン端子間に印加された電源電圧の測定を行えるようにした住宅用分電盤の負荷回路への供給電源電圧測定構造。
【請求項２】
前記母線側電圧測定部に、前記テストリードを当接させた際に、該テストリードを保持するテストリード脱落防止手段を備えて構成した請求項１記載の住宅用分電盤の負荷回路への供給電源電圧測定構造。
【請求項３】
前記分岐開閉器の操作ハンドルが設けられた面側を分岐開閉器を取付ける面側に対して前面側としたとき、電圧測定対象となるプラグイン端子と電気的に接続された分岐開閉器側電圧測定部に対して、前記前面側から前記テストリードを当接させるための電圧測定用連通孔を分岐開閉器に備えて構成した請求項１又は請求項２記載の住宅用分電盤の負荷回路への供給電源電圧測定構造。
【請求項４】
前記電源電圧測定構造は、
前記母線側電圧測定部に代えて、
主開閉器の二次側と母線とを各極毎に接続する接続バーに、
前記母線に接続される複数の分岐開閉器に対して共通して設けられる第一及び第二の接続バー側電圧測定部を設けて構成され、
該接続バー側電圧測定部として、
前記テストリードを挿入するための第一の孔部を設けて構成したことを特徴とする請求項１乃至請求項３記載の内何れか一項に記載の住宅用分電盤の負荷回路への供給電源電圧測定構造。
【請求項５】
前記接続バーを覆い、該接続バーへの不用意な接触を防止する接続バーカバーにおいて、
前記第一の孔部の前記前面側にテストリードを該第一の孔部に連通させるための第二の孔部を設け、住宅用分電盤の壁面への取付時における天地方向を上下方向とした場合に、
第二の孔部の中心を第一の孔部の中心に対して上方向に偏らせて配設し、
テストリードを連通させて挿入したときに、
該テストリードが第一の孔部内面と第二の孔部内面とに係合され脱落が防止されることを特徴とする請求項４記載の住宅用分電盤の負荷回路への供給電源電圧測定構造
【発明の詳細な説明】
【技術分野】
【０００１】
本発明は、住宅用分電盤に設けられた母線と接続されて各分岐回路に電源を供給する分岐開閉器に供給される電源電圧の大きさを測定する機能を有した住宅用分電盤に関し、特に、前記母線と分岐開閉器との接続がプラグインで行われ、分岐開閉器の電路開閉用操作ハンドルを切りにした状態で、分岐開閉器に供給される電源電圧の大きさを利便性よく測定することができる機能を有した住宅用分電盤に係る。
【背景技術】
【０００２】
住宅用分電盤は、キャビネットの内部に、主開閉器、該主開閉器の二次側に接続される母線、該母線と各々接続される分岐開閉器などの内部機器を組み込んだもので、住宅等における電路の引込口装置として用いられている。適用される電路は、通常、交流５０Ｈｚ又は６０Ｈｚの単相２線式電路（１００Ｖ）、もしくは単相３線式電路（１００／２００Ｖ）が印加される電路である。
【０００３】
近年、住宅内で使用される電気機器として、機器への電源供給のために専用回路を必要とするものが増え、前記分岐開閉器と直接配線して接続する機器が増えている。例えば、２４時間換気システムや、ビルトインタイプの食洗器などが該当する。このような機器に電源を供給する場合、分岐開閉器と機器との配線を行った後で、該分岐開閉器の電路開閉用の操作ハンドルを入りとすることで電源が機器に供給される。機器には、機器本体に電源スイッチが設けられていないものがあり、そのような機器の場合には、電路開閉用の操作ハンドルを入りとすると直ちに電源が印加される。
【０００４】
単相３線式の電路のように、３線の内、選択する２線に応じて電源電圧の大きさが１００Ｖ又は２００Ｖの複数出力される電路に適用される分電盤においては、各分岐回路には、該各分岐回路に接続される機器に適した大きさの電圧が供給される必要がある。そこで、機器に供給する電源電圧を分岐回路に接続される機器に応じて適宜切り替えられるように母線側に電圧切換え構造を持たせた分電盤が公知である。
【０００５】
例えば、特許文献１においては、図１６に示したように、主電路を形成するブスバー（特許文献１の符号１、２、３）と、回路遮断器の端子にねじ締め接続されるブスバーの足部（特許文献１の符号１０１、３０１、６０１等）の間に、切替装置を設けて構成している。この切替装置は、該切替装置を構成する接続バー（特許文献１の符号６）に設けられた長穴（特許文献１の符号６０２）と切替片（特許文献１の符号８）の穴部に共に貫通させた切替ネジ（特許文献１の符号７）の位置を前記長穴の一端もしくは他端に移動させて導通させる導体を選択し回路遮断器の端子に接続される導体を切替えて、回路遮断器に供給する電圧を変更するものである。
【０００６】
特許文献２においては、図１７に示したように、特許文献１と同じく、主電路を形成するブスバー（特許文献２の符号１１、１２、１３）と、回路遮断器のプラグインタイプの端子がプラグイン接続されるブスバーの接続部（特許文献２の符号１３０１、２００１等）の間に、切替装置を設けて構成している。そして切替装置を構成する送り板（特許文献２の符号２０）に設けられた長穴部と筒状導体子（特許文献２の符号１８）に共に貫通させたねじ（特許文献２の符号１７）の位置を前記長穴の一端もしくは他端に移動させて導通させる導体を選択し回路遮断器の端子に接続されるブスバーを切替えて、回路遮断器に供給する電圧を変更するものである。
【０００７】
分岐開閉器に供給する電源電圧を適宜母線側で切替設定し、分岐開閉器と機器との配線接続が完了した後、機器に電源を印加する前には、通常、該機器に適した大きさの電圧が印加されるか否かを確認するために、電圧測定作業を行う。特許文献１に示した分電盤の場合には、分岐開閉器（特許文献１の符号５）に接続される前記ブスバーの足部（特許文献１の符号１０１、３０１）に電圧測定のために電圧測定器に接続されたテストリードを当接させ、該足部間の電圧を測定する。特許文献２に示した分電盤の場合には、分岐開閉器（特許文献２の符号１５）に接続される前記ブスバーの接続部（特許文献２の符号１３０１、２００１）に電圧測定器のテストリードを当接させ、該足部間の電圧を測定する。
【先行技術文献】
【特許文献】
【０００８】
【特許文献１】特開平９−２７１１０８号公報
【特許文献２】特開２００２−１３５９１９号公報
【特許文献３】特許第４１４７６６５号
【発明の概要】
【発明が解決しようとする課題】
【０００９】
前述したような、母線側に電圧切替構造を持たせた住宅用分電盤にあっては、
該電圧切替構造として用いる、接続バーと送り板、また、これら接続バーと送り板に付随する切替ネジと切替片や筒状導体子などの多くの部材構成部材が必要となり、それらの組み立てに要する工数とも相まって、コストダウンを図りにくい。
【００１０】
また、電圧切替えのために、前記切替ネジを操作する際には、一旦切替ネジを緩め、該切替ネジの場所を移動させ、再度ネジを締める必要があり、仮に、切替ネジの規定締付トルクに達しない状態で切替操作を完了した場合には、電気安全が充分に保たれなくなるおそれが生ずる。電圧切替作業は原則主開閉器の電源を切りにして行うが、誤って主開閉器を切りにしないまま作業を行ってしまうと、感電などの電気事故が発生してしまう可能性がある。
【００１１】
さて、電圧切替構造を、母線側ではなく分岐開閉器側に持たせたものもある。例えば、特許文献３においては、図１８に示したように、母線を、分岐開閉器の取付面から操作ハンドルの方向に３段に重ねて設け（特許文献３の符号Ｂ１、Ｂ２、Ｂ３）、これら３段に設けられた母線のうち所定の２つの母線にプラグイン端子（特許文献３の符号３）を接続可能なように、予め各々の極においてプラグイン端子の位置の配置を調整しておくことにより、分岐開閉器に供給する電源電圧を適宜選択切替するものである。電圧を切替えるときには、母線から一旦分岐開閉器を取り外すため、仮に、主開閉器を切りにしないまま作業を行うことがあったとしても、取り外した分岐開閉器には電源は供給されていないから、取り外した後にプラグイン端子３の配置を調整するにあたっては感電するおそれは低減する。
【００１２】
しかしながら、分岐開閉器側に電圧切替構造を持たせたものにあっては、次のような課題があった。
【００１３】
前述したような、プラグインタイプの分岐開閉器においては、分岐開閉器に供給される電圧の測定を行う場合、該分岐開閉器の操作ハンドルにより開閉される接点装置よりも負荷側に各極の電圧測定部が設けられているために、遮断器の操作ハンドルを入りにした状態で、電圧の測定を行う必要があった。即ち、分岐開閉器と直接配線して用いられる電気機器に対して、該電気機器に供給する電圧が正しい電圧か否かを配線後に確認する場合には、分岐開閉器の操作ハンドルを入りにした状態で、電圧測定器のテストリードを前記電圧測定部に当接させ、極間の電圧を測定する必要があった。
【００１４】
したがって、仮に、単相３線式の電路において、プラグイン端子を接続する母線を誤って配線していた場合、該分岐開閉器に接続する電気機器の定格電圧が、分岐開閉器から供給される電圧よりも高い場合には、定格電圧に足りず正常運転しないことが想定され、該分岐開閉器に接続する電気機器の定格電圧が、分岐開閉器から供給される電圧よりも低い場合には、過電圧となり電気機器が故障することが想定される。
【００１５】
また、分岐開閉器には負荷側の各極に電圧測定部が設けられる構造であったため、通常、電圧測定を行う場合には、作業者は、２本のテストリードを、箸を扱うように片手で保持し、もう片手で電圧測定器を保持した状態で、住宅用分電盤に配設された各々の分岐開閉器の電圧測定部に、順番にテストリードを当接させていき、その都度、電圧測定器の計器を確認していた。
【００１６】
住宅用分電盤は、その配設場所が、天井近くであったり、収納庫の内部であったりすることが多く、必ずしも電圧測定作業を行いやすい場所に配設されるものではない。例えば、作業者が梯子に登った状態で、片手に電圧測定器を持ち、もう片手で２本のテストリードを保持して、分岐開閉器における所定の電圧測定部に当接させる作業は容易ではない場合が多い。このため、前記所定の電圧測定部が確認しづらく該電圧測定部にテストリードを当接させられなかったり、不用意に電圧測定部とは異なる場所にテストリードが触れたりするおそれがあり、電気安全が十分に保たれなくなる課題があった。
【００１７】
そこで、本発明は、上記課題に鑑みてなされたもので、
住宅用分電盤に設けられるプラグイン端子構造を有する分岐開閉器から負荷回路に電源を供給する前に、実際に分岐開閉器に供給される電圧を、分岐開閉器の操作ハンドルをオンする前に、作業性よく確認することができる電圧測定構造を備えた住宅用分電盤を提供することを目的とする。
【課題を解決するための手段】
【００１８】
本発明に係る住宅用分電盤の負荷回路への供給電源電圧測定構造は、上述の課題を解決すべく構成されたもので、
【００１９】
住宅用分電盤に配設された互いに電位の異なる第一の電圧極、第二の電圧極及び中性極の母線の内、所定の２つの母線に接続されるプラグイン端子間に印加された電源電圧を、分岐開閉器に設けられた接点装置を入切する操作ハンドルが入のときに負荷回路に供給する分岐開閉器における、該分岐開閉器から負荷回路に供給する電源電圧の大きさを、各々の分岐開閉器毎に、前記操作ハンドルが切の状態で確認する電源電圧測定構造であって、前記電源電圧測定構造は、前記第一の電圧極及び第二の電圧極のそれぞれの母線に設けられて、該母線に接続される複数の分岐開閉器に対して共通して用いられる第一及び第二の母線側電圧測定部と、前記分岐開閉器において前記接点装置よりも電気的に前記プラグイン端子側に設けられて、各々の分岐開閉器毎に個別に用いられる分岐開閉器側電圧測定部とを備え、分岐開閉器の操作ハンドルを切にした状態で、前記電源電圧の測定に用いる電圧測定器の２本のテストリードの内、一方のテストリードを前記第一又は第二の母線側電圧測定部に当接させたままで、他方のテストリードを各々の前記分岐開閉器側電圧測定部に対して個別に当接させていくことにより、前記分岐開閉器における前記所定の２つの母線に接続されるプラグイン端子間に印加された電源電圧の測定を行えるようにして住宅用分電盤の負荷回路への供給電源電圧測定構造を構成するとよい。
【００２０】
かかる構成によれば、
分岐開閉器の操作ハンドルが切の状態で、主開閉器の操作ハンドルを入の状態にすることで、母線と接続された分岐開閉器の一次側には、該分岐開閉器に供給される電源が実際に印加されるから、分岐開閉器から負荷回路に電源を供給する前に電圧の測定作業を行え、また、各々の分岐開閉器に当接させる電圧測定用のテストリードは一本でよいため、作業性よく、なおかつ電気安全性を保って電圧の測定作業を行うことができる。
【００２１】
また、本発明に係る住宅用分電盤の負荷回路への供給電源電圧測定構造は、前記母線側電圧測定部に、前記テストリードを当接させた際に、該テストリードを保持するテストリード脱落防止手段を備えて構成してもよい。
【００２２】
かかる構成によれば、
複数の分岐開閉器に対して共通して用いられる第一及び第二の母線側電圧測定部にテストリードを当接させる場合に、該テストリードから手を離すことができるため、電圧測定作業に伴う身体の自由度が増し、作業性がよりよくなり、また、電気安全性も高まるものである。
【００２３】
また、本発明に係る住宅用分電盤の負荷回路への供給電源電圧測定構造は、前記分岐開閉器の操作ハンドルが設けられた面側を分岐開閉器を取付ける面側に対して前面側としたとき、電圧測定対象となるプラグイン端子と電気的に接続された分岐開閉器側電圧測定部に対して、前記前面側から前記テストリードを当接させるための電圧測定用連通孔を備えて構成してもよい。
【００２４】
かかる構成によれば、分岐開閉器における電圧測定対象となるプラグイン端子に対して、確実にテストリードを当接させることができるため、分岐開閉器側に用いるテストリードを当接させやすくなるという作業性のよさと相まって、電気安全性をさらに高められるものである。
【発明の効果】
【００２５】
以上の如く、本発明によれば、住宅用分電盤に設けられる分岐開閉器から負荷回路に電源を供給する前に、実際に分岐開閉器に供給される電圧を、分岐開閉器の操作ハンドルをオンする前に、作業性よく確認することができる電圧測定構造を備えた住宅用分電盤を提供することができる。
【図面の簡単な説明】
【００２６】
【図１】第１の実施形態を示す住宅用分電盤における内器ユニット斜視図を示す。
【図２】同実施形態に係る主要部斜視図を示す。
【図３】同実施形態に係る分岐線斜視図を示す。
【図４】同実施形態に係る母線の組立図を示す。
【図５】同実施形態に係る母線の組立図を示す。
【図６】同実施形態に係る母線の組立図を示す。
【図７】同実施形態に係る母線の組立図を示す。
【図８】同実施形態に係る母線の組立図を示す。
【図９】同実施形態に係る分岐開閉器の外観斜視図を示す。
【図１０】同実施形態に係る分岐開閉器の端子部の図を示す。
【図１１】同実施形態に係る分岐開閉器の端子部の図を示す。
【図１２】同実施形態に係る分岐開閉器の端子部の分解斜視図を示す。
【図１３】同実施形態に係る分岐開閉器の端子部の透視図を示す。
【図１４】同実施形態に係る分岐開閉器の端子部の移動説明図を示す。
【図１５】同実施形態に係る住宅用分電盤における分岐開閉器の取付説明図を示す。
【図１６】従来の接続状態を表わした図を示す。
【図１７】従来の接続状態を表わした図を示す。
【図１８】従来の接続状態における複数個所で切替を行った図を示す。
【図１９】他の実施形態に係る要部斜視図を示す。
【図２０】接続バーカバーを取り除いた図を示す。
【図２１】図１９の前面側から臨んだ図を示す。
【図２２】接続バーカバーに接続バーを収納した図を示す。
【発明を実施するための形態】
【００２７】
次に本発明の実施形態を図１乃至図１５を用いて詳細に説明する。
【００２８】
（住宅用分電盤の概要説明）
第１の実施形態に係る住宅用分電盤は、単相３線式の商用電路に用いられるものである。
該住宅用分電盤は、図１乃至図３に示すように、キャビネットの内部に、主開閉器１、該主開閉器１の二次側に図示しない接続部材を介して接続される母線１１、１２、１３、該母線と各々接続される分岐開閉器２などの内部機器を、取付板３、４に取付けた内部ユニット１００として組み込んだもので、主に住宅等における電路の引込口装置として用いられる。主開閉器の二次側と母線との接続は、各極毎に銅バーを折り曲げ又は打ち抜き形成して構成した接続バーや、両端に端子板を接続した電線等を用いて行われる。
【００２９】
前記母線１１、１２、１３は互いに電位が異なるものであり、便宜的に、第一の電圧極となる母線１１をＬ１、第二の電圧極となる母線１２をＬ２、中性極となる母線１３をＮで表す。これら母線は、略柱状に形成された銅バーからなり、該母線が略平行に並べられて、母線を互いに絶縁する絶縁部材５に配設されたうえで、取付板３に取付けられる。
【００３０】
本住宅用分電盤に設けられる分岐開閉器２には、図９に示すように電圧切替構造が備えられており、母線１１、１２、１３の内、所定の２つの母線とプラグイン端子により電気的に接続されることにより、負荷回路に電源が供給される（詳しくは後述する）。単相３線式の電路においては、負荷回路に供給され得る電源電圧の大きさは、１００Ｖ又は２００Ｖである。
【００３１】
前記分岐開閉器２のプラグイン端子（図９における２２Ｂ）を前記母線１１（Ｌ１）、１２（Ｎ）と接続した場合には１００Ｖが供給され、前記母線１１（Ｌ１）、１３（Ｌ２）と接続した場合には２００Ｖが供給される。また、前記分岐開閉器のプラグイン端子（２２Ｂ）を前記母線１３（Ｌ２）、１２（Ｎ）と接続した場合には１００Ｖが供給されるが、電圧位相は、前記母線１１（Ｌ１）、１２（Ｎ）と接続した場合の逆の位相となる。
【００３２】
現在では、負荷回路に供給される電源電圧は、住宅内の照明用回路及びテレビやビデオなどの家電機器に用いる一般的なコンセント用回路としては１００Ｖが多く、容量の大きなエアコンなどに用いる回路には２００Ｖを用いる。このように、負荷回路に接続される電気機器に応じて、分岐開閉器２のプラグイン端子と母線との接続状態を変更することにより、分岐開閉器並びに負荷回路に供給する電源の電圧を適切なものに設定する。
【００３３】
母線の両端部には、該母線と他の導体とを接続するためのねじが貫通される孔が設けられている。そして前記母線の両端間には、母線の長手方向（図１中の左右方向）に沿って、分岐開閉器が並設配置され、また、前記母線１３を境に分岐開閉器の母線との接続部が互いに向き合うように、上下２列に分岐開閉器が配置される。上側の列の分岐開閉器は、母線１１（Ｌ１）と、母線１２（Ｎ）又は母線１３（Ｌ２）と接続され、母線１１（Ｌ１）と母線１２（Ｎ）とに接続されるときは１００Ｖが供給され、母線１１（Ｌ１）と母線１３（Ｌ２）とに接続されるときは２００Ｖが供給される。下側の列の分岐開閉器は、母線１３（Ｌ２）と、母線１２（Ｎ）又は母線１１（Ｌ１）と接続され、母線１３（Ｌ２）と母線１２（Ｎ）とに接続されるときは１００Ｖが供給され、母線１３（Ｌ２）と母線１１（Ｌ１）とに接続されるときは２００Ｖが供給される。
【００３４】
（母線の構造）
次に、母線の構造について図２、図３を用いて詳細に説明を行う。図３は、内部ユニット１００から一部の分岐開閉器を取り外し、母線を露出させた状態を示している。
【００３５】
母線１１、１２、１３には、母線と分岐開閉器のプラグイン端子との電気的接続部となる分岐線１１０１ａ、１２０１ａ、１３０１ａが、各々の分岐開閉器の並設位置に対応して、前記長手方向に対して垂直な方向に突出して設けられている。分岐線１１０１ａは母線１１（Ｌ１）に対応し、１２０１ａは母線１２（Ｌ２）に対応し、１３０１ａは母線１３（Ｎ）に対応し、これら１１０１ａ、１２０１ａ、１３０１ａが一つの組となって分岐開閉器の回路数だけ設けられている。
【００３６】
前記下側の列の分岐開閉器においては、分岐開閉器を母線に接続するときには、分岐開閉器のプラグイン端子を、分岐線１２０１ａ（Ｌ２）を共通として、１１０１ａ（Ｌ１）又は１３０１ａ（Ｎ）に選択的に接続することで、２００Ｖ又は１００Ｖの電源が供給される。
【００３７】
前記上側の列の分岐開閉器においても同様であり、分岐開閉器のプラグイン端子を、分岐線１１０１ａ（Ｌ１）を共通として、１２０１ａ（Ｌ２）又は１３０１ａ（Ｎ）に選択的に接続することで、２００Ｖ又は１００Ｖの電源が供給される。
【００３８】
（母線の組立構造）
【００３９】
次に，母線の組立構造について，図４乃至図８を用いて説明する。図４は，各極の母線夫々の外形斜視図を示した図である。
【００４０】
前記各極の母線のうち，１１（Ｌ１），１２（Ｌ２）の電圧極の母線は同一形状に形成されている。
【００４１】
Ｌ２の電圧極の母線１２を例として説明すると，Ｌ２の電圧極の母線１２は，該母線の幹となる部分１２０が，前記分岐開閉器２を並設する方向に延出され，両端部には母線と他の電気導体を接続するためのねじ端子を貫通させるための孔が形成されている。
【００４２】
前記幹となる部分１２０には，前記分岐開閉器の分電盤への取付面となる背面から前記操作ハンドルが設けられた前面への方向を高さ方向とした場合に，前記高さ方向に前記幹となる部分と略直角に折曲形成された立上がり部１２１が形成され，該立上がり部１２１から，前記分岐線が，前記幹となる部分１２０と略平行に，互いに反対の方向（接続される分岐開閉器の電源−負荷側方向）に一体に延出されている。
【００４３】
前記分岐線のうち，幹となる部分１２０の方向に延出している分岐線１２０１ａは，図１における下側の列の分岐開閉器２に共通して接続される分岐線であり，分岐線１２０１ｂは，上側の列の分岐開閉器２により他極の分岐線と選択的に接続される分岐線である。
【００４４】
また，Ｌ１の電圧極の母線１１について説明すると，その外形はＬ２の電圧極の母線１２と同一であり，前記２つの分岐線のうち，幹となる部分１１０の方向に延出している分岐線１１０１ｂは，上側の列の分岐開閉器２に共通して接続される分岐線であり，分岐線１１０１ａは，下側の列の分岐開閉器２により他極の分岐線と選択的に接続される分岐線である。
【００４５】
前記各極の母線のうち，中性極の母線１３について説明すると，該中性極の母線１３の幹となる部分１３０が，前記電圧極の母線と同様に分岐開閉器２を並設する方向に延出され，両端部には母線と他の電気導体を接続するためのねじ孔が形成されている。
【００４６】
また，中性極の母線１３の両端部は段差を形成するよう折曲げ形成されて，前記絶縁部材５に各極の母線を取付けた場合に，該幹となる部分１３０が前記電圧極の母線１１，１２よりも前記高さ方向において高くなるよう配設される。
【００４７】
また，中性極の母線１３の幹となる部分１３０から，複数の分岐線１３０１ａ，１３０１ｂが，前記幹となる部分１３０と略平行に，互いに反対の方向（接続される分岐開閉器の電源−負荷側方向）に一体に延出されている。これら分岐線１３０１ａ，１３０１ｂは，何れも分岐開閉器２に選択的に接続される分岐線である。
【００４８】
また，後述するが，各極の３つの母線を組み合わせた場合における分岐線の位置関係を補足すると、次のように構成されている。
【００４９】
上側の列の分岐開閉器を例とすると、Ｌ１の電圧極の母線１１における分岐線と，Ｌ２の電圧極の母線１２における分岐線と、Ｎ極の母線１３における分岐線との内，分岐開閉器２と選択的に接続される分岐線１２０１ｂと１３０１ｂとの位置関係は，分岐開閉器の並設方向において，各々の分岐線１２０１ｂと１３０１ｂとが交互に，夫々の分岐線の中間に位置するように配設される。そして，各々の分岐線１２０１ｂと１３０１ｂは，前記前面視において、他方の電圧極の母線の幹となる部分まで突出し，前記前面側からの平面視において，分岐開閉器に共通に接続される分岐線１０３１ａ，１２０１ｂと略同じ長さに形成されている。
【００５０】
次に，中性極の母線１３における分岐線１３０１ａと１３０１ｂとは，分岐開閉器の並設方向において，前記分岐線１２０１ｂ，１１０１ａと同じ位置に配設され，前記前面側からの平面視において，分岐線１１０１ａ，１２０１ｂと略同じ長さに形成されている。なお，中性極の母線１３の幹となる部分１３０は，電圧極の母線１１，１２よりも前記高さ方向において高くなるように配設されているため互いに干渉しない。
【００５１】
即ち，図１における上側の列並びに下側の列の何れの側においても，分岐線のうち分岐開閉器２に選択的に接続される分岐線１１０１ａと１３０１ａ，並びに１１０１ｂと１３０１ｂは前記前面側からの平面視において，互いに重ならないように配設されている。
【００５２】
また，前記分岐線１１０１ａと１３０１ａ，並びに１１０１ｂと１３０１ｂは夫々の高さを同一に設けて配設されている。また、前記一つの組となる分岐線を、分岐開閉器を差し込む方向から見た場合、上側の列においても、下側の列においても、常に右側に位置する分岐線がＮ極の分岐線となっており、視覚的に統一性がとれる構造となっている。
【００５３】
次に，内部ユニット１００の組み立てについて図５乃至図７を用いて説明を行う。
まず，図５において，前記絶縁部材５にＬ１の電圧極の母線１１，Ｌ２の電圧極の母線１２を取付ける。絶縁部材５は，夫々母線を絶縁できるよう樹脂材料にて形成され，分岐回路数に応じて，母線の幹となる部分の長さに合わせて種々の大きさのものが用意される。
【００５４】
絶縁部材５には，母線の配置が一義的に行われるよう，予め母線の両端部に設けられるねじ端子に対応するナットを嵌め込む凹み部５１１、５１２，５１３が母線取付台５の本体の両端部に設けられ，また，夫々の電圧極における前記立上がり部１１１，１２１に対応する凸部５１４，前記分岐線１１０１，１２０１を互いに絶縁する絶縁壁Ａ５１５，後述する絶縁壁６並びに中性極の母線１３をねじ止め固定するためのねじ止め穴５１６が設けられている。
【００５５】
次に，絶縁壁６に中性極の母線１３を取付ける。絶縁壁６には，中性極の母線１３の取付けが一義的に行われるよう，中性極の母線１３における分岐線１３０１ａ，１３０１ｂを避けて，中性極の母線本体を嵌めこむ嵌め込み部６１１が形成されている。また，絶縁壁６には，中性極の母線１３の分岐線１３０１ａ，１３０１ｂの一部を覆う壁部６１２と，電圧極の母線における分岐線１１０１ａ，１２０１ａを避けた窪み部６１３とが設けられており，中性極の母線と，電圧極の母線との絶縁が保たれるよう構成されている。
【００５６】
次に，中性極の母線１３を取付けた絶縁壁６を，前記電圧極の母線を取付けた絶縁部材５に取付ける。このとき，中性極の母線１３を取付けた絶縁壁６を，前記電圧極の母線を取付けた絶縁部材５に前記高さ方向における上部から，前記窪み部５１３が概ね夫々の電圧極の母線の分岐線と重なるように落とし込むことで位置決めができる。そして，前記中性極の母線に設けられたねじ止め固定するための穴１３０にねじを差込み，絶縁部材５に設けられたねじ止め穴５１６にねじを締め込むことで取付が完了する。
【００５７】
Ｌ１，Ｌ２の２つの電圧極の母線と，中性極の母線は、夫々絶縁壁６並びに絶縁壁Ａ５１５により互いに絶縁され，電気安全が保たれる。
【００５８】
次に，各極の母線並びに絶縁壁６を取付けた絶縁部材５を，分岐開閉器の取付板３にねじ止め固定することにより取付ける。取付けは，該絶縁部材５の背面側に設けられたねじ止め用穴と分岐開閉器の取付板３に設けられたねじ止め用穴の位置を合わせて背面側からねじ締めすることにより取付けられる。
【００５９】
（母線側電圧測定部の構造）
次に、母線側電圧測定の構造について説明を行う。図２において、母線１１及び１２の一端部には母線側電圧測定部３１、３２が夫々設けられる。母線側電圧測定部３１、３２は、住宅用分電盤の前面側から電圧測定用のテストリードを当接可能なよう、テストリードの当接部３１０１、３２０１を前面側に向けるよう、折り曲げ加工された金具で形成されており、その取付部は母線にねじ２１、２２にてねじ止め固定される。
【００６０】
テストリード当接部３１０１、３２０１は、テストリードを当接させる際に、住宅用分電盤の前面側から当接させやすいよう、住宅用分電盤の前面側から臨んで一部が幅広面状に形成される。また、テストリードを当接させたまま保持可能とするテストリード脱落防止手段を備える。
【００６１】
テストリード脱落防止手段は、テストリード当接部３１０１、３２０１にテストリードの棒端子を貫通可能に設けた孔部３１０１ａ、３２０１ａを設けて、前記テストリード当接部の背面と母線との角度を鋭角に設けることで構成している。前記テストリード当接部の背面と母線との成す角度は、テストリードの棒端子を前記孔部３１０１ａ、３２０１ａに差し込んだ時にテストリードが住宅用分電盤の前面側に滑り落ちてしまわないよう、好ましくは、約３０度〜約６０度程度に形成するとよい。
【００６２】
言い換えると、テストリードの棒端子を前記孔部に差し込んで手を放した場合に、棒端子側から住宅用分電盤を見下ろした場合の俯角が鋭角になるよう構成し、より好ましくは該俯角が約３０度〜約６０度程度となるよう、一般的なテストリードの棒端子の直径（約２ｍｍ）に対してテストリード脱落防止手段の孔の直径を約３．４ｍｍ程度に形成するとよい。
【００６３】
次に、他の実施形態として、前記母線側電圧測定部に代えて設けられる接続バー側電圧測定部の構造について図１９乃至図２２を用いて説明を行う。図１９には、主開閉器１、取付板４、主開閉器１の二次側と母線１１乃至１３を接続する接続バー１１０、１２０、１３０、該接続バーを覆う接続バーカバー１４を示している。また、図２０には、接続バーカバー１４を説明のために取り外した図を示している。図２１には、図１９を前面側から臨んだ図を示している。図２２には、接続バー１１０、１２０、１３０を接続バーカバー１４に配設した図を示している。接続バーカバー１４は、各極の接続バーを絶縁保持するものである。なお、図１における母線側電圧測定部３１、３２は取り外した状態で使用する。
【００６４】
接続バー１１０は第一の電圧極であるＬ１、接続バー１２０は第二の電圧極であるＬ２、接続バー１３０は中性極であるＮである。各々の接続バーは、図１における母線１１乃至１３の端部１１ａ、１２ａ、１３ａに設けられた接続バー接続部にて母線に螺着される。このため、図２０において、接続バーの端部１１０ｌ、１２０ｌ、１３０ｌに設けられた接続部は、母線端部に設けられた前記接続バー接続部の前面側の高さに合わせて設けられ、中性極の接続部が最も前面側に位置するように配設されている。
【００６５】
接続バーは、各々の極が接触干渉せぬよう折り曲げ加工が成されている。
Ｌ１の接続バー１１０は、主開閉器との接続部１１０ａから主開
閉器１の負荷側方向に伸びた（１１０ｂ部）後、該方向に対して垂直な方向に折り曲げ加工され（１１０ｃ部）、さらに前記負荷側方向とは反対の方向に折り返し加工されている（１１０ｄ部）。そして主開閉器１の負荷側側面に沿う形で接続バーが伸び（１１０ｅ部）、そこから主開閉器１の電源側に折り曲げ加工されて（１１０ｆ）伸び（１１０ｇ部）、母線における接続バー接続部近傍で一旦前面側に折り曲げ加工され（１１０ｈ部）、接続バー側電圧測定部（１１０ｊ部）を形成すべく折り曲げ加工され（１１０ｉ部）、母線における接続バー接続部接続部へ向けて階段状に折り曲げ加工され（１１０ｋ）ている。
【００６６】
Ｌ２の接続バー１３０は、主開閉器との接続部１３０ａから主開
閉器１の負荷側方向に伸びた（１３０ｂ部）後、該方向に対して垂直な方向に折り曲げ加工され（１３０ｃ部）、さらに前記負荷側方向とは反対の方向に折り返し加工されている（１３０ｄ部）。そして主開閉器１の負荷側側面に沿う形で接続バーが伸び（１３０ｅ部）、そこから主開閉器１の電源側に折り曲げ加工されて（１３０ｆ）伸び（１３０ｇ部）、母線における接続バー接続部近傍で折り曲げ加工され（１３０ｊ部）、母線における接続バー接続部接続部へ向けて伸びている。
【００６７】
Ｌ３の接続バー１２０は、主開閉器との接続部１２０ａから主開
閉器１の負荷側方向に伸びた（１２０ｂ部）後、該方向に対して垂直な方向に折り曲げ加工され（１２０ｃ部）、さらに前記負荷側方向とは反対の方向に折り返し加工されている（１２０ｄ部）。そして主開閉器１の負荷側側面に沿う形で接続バーが伸び（１２０ｅ部）、そこから主開閉器１の電源側に折り曲げ加工されて（１２０ｆ）伸び（１２０ｇ部）、母線における接続バー接続部近傍で接続バー側電圧測定部（１２０ｊ部）を形成すべく折り曲げ加工され、母線における接続バー接続部接続部へ向けて階段状に折り曲げ加工され（１２０ｋ）ている。
【００６８】
ここで、Ｌ１、Ｌ２、Ｎの接続バーは、折り曲げ加工部（１１０ｃ、１２０ｃ、１３０ｃ）の前面側への長さを互いに違えて形成し、接続バー同士の接触干渉を回避している。
その一方で、接続バー側電圧測定部１１０ｊ、１２０ｊの前面側から見た高さを揃えるために、Ｌ１の接続バーにおいて一旦前面側に折り曲げ加工される部分（１１０ｈ部）の長さを調整して形成している。
【００６９】
接続バーカバー１４は、これら接続バーを外部から覆い、絶縁保持すべく、本体を樹脂形成している。接続バーカバー１４内側には、接続バーを各々絶縁保持する隔壁１４０５、１４０６が形成され、接続バーを装着した場合の抜け止めとなる支持爪１４０１、１４０２、１４０３、１４０４を、接続バーが電源側に伸びる部分（１１０ｇ、１２０ｇ、１３０ｇ）に設けている。
【００７０】
前記接続バー側電圧測定部となる部分（１１０ｊ、１２０ｊ）は、接続バーにおける最も前面側となるよう形成されている。作業者は前面側から電圧測定作業を行うため、他の部材よりも背面側に位置すると、作業性を損なうことが予想されるとともに、不用意に他の部材に接触することにより、電気事故が発生するおそれが懸念されるからである。このため、住宅用分電盤における内器ユニットにおいては、前記接続バー側電圧測定部が最も前面側に位置するように形成している。
【００７１】
前記接続バー側電圧測定部として、接続バーカバー１４及び接続バー１１０、１２０に、テストリードを挿通し得るよう孔部を連通させて設けている。説明のために、接続バー側に設けられる孔部を第一の孔部１１１、１２１とし、接続バーカバー側に設けられる孔部を第二の孔部１４１ａ、１４２ａとする。
【００７２】
これら孔部は、住宅用分電盤の壁面への取付時における天地方向を上下方向とした場合に、
第二の孔部の中心を第一の孔部の中心に対して上方向に偏らせて配設している。作業者がテストリードを連通させて挿入したときに、該テストリードが第一の孔部内面と第二の孔部内面とに係合されることにより、テストリードの脱落を防止するためである。より詳しくは、テストリードの先端部分が、第一の孔部内面上側に当接し、テストリードの根元部分が、第二の孔部内面下側に当接して、テストリードから手を放しても該テストリードの自重により夫々の孔部に係合される。
【００７３】
また、該接続バー側電圧測定部は、前記母線側電圧測定部３１、３２と同様に、接続バー１１０、１２０、１３０のうち、電圧極の１１０及び１２０に設けている。
【００７４】
（分岐開閉器側電圧測定部の構造）
次に、図９、図１０を用いて、分岐開閉器側電圧測定部の構造について説明を行う。図９は、図３における下側の列の分岐開閉器を電源側端子の側からみた図である。
【００７５】
本住宅用分電盤に適用される分岐開閉器２は、図９に示すように、該分岐開閉器２を併設する方向を幅方向としたときに、該幅方向に分割するケース２０ａ及び２０ｂを重ね合わせて構成される略箱体形状の器体を有する。
【００７６】
そして、該器体には、母線Ｌ１又はＮと選択的に接続されるプラグイン端子が備えられた電源側端子部２２Ｂと、母線Ｌ２と接続されるプラグイン端子が備えられた電源側端子２２Ａと、分岐開閉器２の負荷側に電源を供給するための各極の導体と接続される速結端子を用いて構成された負荷側端子部２３とが設けられ、これら電源側端子部２２Ａ、２２Ｂと、負荷側端子部２３との間を電気的に接続する各極の主導体と、該各極の主導体に介在し、電源側と負荷側を電気的に入切接続する固定接点と、該固定接点と各々接離自在に対向する可動接点を固着した可動接触子と、これら可動接触子を開閉駆動する開閉機構と、該開閉機構とリンクにより接続され器体の外部から開閉機構を操作して、電路を入切操作する第一の操作部となる操作ハンドル２４とが配設されている。
【００７７】
前記第一の操作部となる操作ハンドル２４が設けられた面を器体の前面ａとした場合、該前面には、該前面ａ側から前記電源側端子部２２Ｂを臨む連通孔２１が設けられている。該連通孔２１は、電源端子部２２Ｂが前記分岐線Ｎ又はＬ１と接続される夫々の位置において、２箇所に設けられている。
【００７８】
次に、電源側端子部２２Ａ、２２Ｂについて説明を行う。
前記電源側端子部２２Ａ、２２Ｂは、
前記前面ａに対して、分電盤への取付面となる面を背面ｂとし、該前面ａと該背面ｂとに相隣り合う面を側面ｃとしたときに、器体の長手方向における側面ｃの一端に、ケース２０ａ、２０ｂの間に挟み込まれるように設けられている。
【００７９】
電源側端子部のうち、２２Ａは器体に固定されて配設される端子部（固定端子部という）で、下側の列に配設される場合にはＬ２の分岐線に接続され、２２Ｂは前記分岐線Ｌ１又はＮを選択的に接続するため器体内を前記幅方向において、一方の側面寄りと、他方の側面寄りの２箇所の間で連続的に往復移動が行えるよう、器体の側面に設けた窪み部分に配設される端子部（選択端子部という）である。
【００８０】
なお、図３において、上側の列の分岐開閉器と接続される分岐線の配置は、下側の列における母線Ｌ２に相当する場所には母線Ｌ１の分岐線が設けられ、下側の列における母線Ｎ、Ｌ１に相当する場所には母線Ｎ、Ｌ２の分岐線が設けられる配置となっており、上側の列に配設される分岐開閉器においては、前記固定端子部は母線Ｌ１の分岐線に接続され、前記選択端子部は母線Ｎ又はＬ２の分岐線と選択的に接続される。
【００８１】
（選択端子部の構造）
分岐開閉器２の器体の電源側には、前記固定されて配設される固定端子部２２Ａの位置、並びに移動可能に設けられる選択端子部２２Ｂのそれぞれの位置に対応するよう、分電盤内に予め３本の母線Ｌ１、Ｌ２、Ｎの接続部が配置されている。
図４の場合、前記固定端子部２２Ａは分岐線Ｌ２と接続され、前記選択端子部２２Ｂは、図９の位置の場合は分岐線Ｎと接続され、他方の位置の場合は母線Ｌ１と接続される。
【００８２】
選択端子部２２Ｂが母線Ｌ１と接続される場合には、分岐開閉器２には２００Ｖの電圧が印加され、選択端子部２２Ｂが分岐線Ｎと接続される場合には、分岐開閉器２には１００Ｖの電圧が印加される。
【００８３】
図１０には、前記選択端子部２２Ｂと、該選択端子部２２Ｂに収納される刃受２２Ｂ３を示している。前記固定端子部２２Ａ並びに選択端子部２２Ｂは、その内部に、母線と接続するための端子として、断面が略徳利状の略コの字状の先部を絞った形状に成形された刃受であるプラグイン端子２２Ｂ３を収納している。該刃受２２Ｂ３は前記絞った形状の部分で母線の分岐線を挟み込み、負荷側に電源を供給する。
【００８４】
選択端子部２２Ｂは、その外郭が刃受２２Ｂ３とは電気的に接続されていない非充電部として構成されている。外郭の前面側には、前記器体に設けられた連通孔２１に対応した孔２２Ｂ４が設けられている。
選択端子部２２Ｂを、器体の幅方向において、一方の側面寄りと、他方の側面寄りの、それぞれの接続位置に移動させた場合には、片方の連通孔２１と孔２２Ｂ４とが、それぞれつながり、分岐開閉器の前面側からテストリードの棒端子を差し込み可能となる。
【００８５】
（選択端子部の動作構造について）
選択端子部２２Ｂを器体の幅方向に往復移動させる第二の操作部２５について、図１０、図１１を用いて説明を行う。
【００８６】
まず、選択端子部２２Ｂの前面ａ側には、複数の歯を設けたラック２２Ｂ１を形成しており、第二の操作部２５の操作を後述する移動方向反転手段を介して選択端子部２２Ｂに伝達する役割を果たす。また、外郭の背面側には、幅方向に長形状のリブ２２Ｂ２が設けられており、このリブ２２Ｂ２が、器体側に設けられた溝部２１ｃと嵌め合わされることにより、選択端子部２２Ｂが幅方向に往復移動する際のガイド部として働く。
【００８７】
前記器体の前面側には、前記選択端子部２２Ｂの器体の幅方向に往復移動させるための第二の操作部２５が設けられている。該第二の操作部２５は、器体の幅方向における長さの略半分の大きさに形成された長四角形状のベースと、該ベースの前面側に設けられた把持部２５ａと、ベースの背面側に設けられた複数の歯を設けたラック２５ｂとを備えている。ラック２５ｂは、ベースに形成した長形状のリブ２５ｂ１の端部に、該リブ２５ｂ１よりも幅広状に形成されており、第二の操作部２５を器体に設けられた開口部２１ｂ３に嵌め込み取付けた際に、幅方向に移動させるためのガイド部として働くとともに、前面側への抜止めとして働く。
【００８８】
前記第二の操作部２５は、器体の幅方向の移動に際し、器体における一方の側面寄りと、他方の側面寄りの２箇所の間で連続的に往復移動を行う。そして、それぞれの一方の側面寄りの位置、及び他方の側面寄りの位置において、前記ベースにより、該ベースの背面となる部分に位置する連通孔２１、即ち、選択端子部２２Ｂが位置しない側における器体の前面ａ側に設けられた連通孔２１を隠蔽する。
【００８９】
このため、器体の前面側からは、選択端子部２２Ｂが位置しない側の連通孔は視認できず、選択端子部２２Ｂが位置する側の連通孔が視認可能となる。
【００９０】
このため、回路遮断器への供給電圧がいくらであるのか確認する場合には、器体の前面側にて視認可能な側の連通孔２１に前記テストリードの棒端子を差込むことにより行え、不用な側の連通孔２１は隠蔽されるため誤った連通孔に前記棒端子を差込むことを防ぐことができる。
【００９１】
また、前記ベースの背面側で、分岐開閉器２の器体の前面側には、器体の幅方向に亘って、選択端子部２２Ｂの分岐線との接続位置に応じて分岐開閉器２に供給される電圧値を表示する電圧表示部２７が設けられている。
【００９２】
器体の幅方向に対して、略中央から一方の側面寄りには第一の供給電圧である１００Ｖの文字が表示され、略中央から他方の側面寄りには第二の供給電圧である２００Ｖの文字が表示される。前述した不用な連通孔が隠蔽されるのと同様、前記ベースの背面となる部分に位置する電圧表示部２７は、該ベースに隠蔽されて前面側からは視認できず、ベースに隠蔽されない部分に位置する電圧表示部は前面側から視認可能となる。このため、分岐開閉器への予定される供給電圧が、選択端子部２２Ｂの夫々の位置において、予め的確に表示できる。
【００９３】
前述の連通孔がベースにより隠蔽される作用と相まって、分岐開閉器に供給される予定の電圧値の把握や実際の電圧測定確認作業が分岐開閉器の前面側から行いやすく、作業性に優れた電圧測定のための構造を提供することができる。
【００９４】
次に、第二の操作部２５と選択端子部２２Ｂとを連動させる前述の移動方向反転手段について図１２、図１３、図１４を用いて説明を行う。
【００９５】
移動方向反転手段は、前記第二の操作部２５を移動させる方向とは反対方向に選択端子部２２Ｂを移動させるものである。即ち、図１４において、前記第二の操作部２５を（ａ）の位置から（ｃ）の位置に移動させる場合には、選択端子部２２Ｂは第二の操作部とは反対方向に移動する。
本実施形態では、前記移動方向反転手段として、ピニオン２６を用いた例について説明を行う。
【００９６】
該ピニオン２６は、軸２６ａの周囲に複数の歯を設けて形成されている。該歯は、前記第二の操作部２５に設けられたラック２５ｂ、並びに前記選択端子部２２Ｂに設けられたラック２２Ｂ１と噛み合うように、記第二の操作部２５に設けられたラック２５ｂと前記選択端子部２２Ｂに設けられたラック２２Ｂ１との間に位置するよう配設される。前記ピニオン２６は、回路遮断器の器体の前面寄りに、該器体の一部を凹ませて形成した軸受部２１ｄに軸２６ａが枢支されて配設される。
【００９７】
図１３に、これら第二の操作部２５とピニオン２６と選択端子部２２Ｂとの器体への配置状態を一部断面にて示した。
第二の操作部２５と選択端子部２２ｂとの間にピニオン２６が配置され、それぞれのラック２５ｂ、２２Ｂ１と、器体により軸２６ａを回動自在に枢支されたピニオンの歯が噛み合う。
【００９８】
次に、第二の操作部２５を操作して、選択端子部２２Ｂの位置を移動する場合について一部を断面にて示した図１３、図１４を用いて説明を行う。
【００９９】
例として、図１４（ａ）、（ｂ）は、固定端子部２２Ａには母線Ｌ２が接続され、選択端子部２２Ｂには母線Ｎと接続される場合を示し、図１４（ｃ）（ｄ）は、固定端子部２２Ａには母線Ｌ２が接続され、選択端子部２２Ｂには母線Ｌ１と接続される場合を示す。
【０１００】
まず、図１４（ａ）、（ｂ）は、固定端子部２２Ａには母線Ｌ２が接続され、選択端子部２２Ｂには母線Ｎと接続される場合であるから、回路遮断器に供給される電圧値は１００Ｖとなる。選択端子部２２Ｂの位置する前面側においては、選択端子部２２Ｂが位置しない側の連通孔２１ａ４並びに電圧表示部２７の一部は第二の操作部２５のベースにより隠蔽され、選択端子部２２Ｂが位置する側の連通孔２１ｂ４並びに電圧表示部２７の一部が現れている。この場合の電圧表示部２７は１００Ｖの文字が表示される。
【０１０１】
次に、この状態から、図中において第二の操作部２５を初期位置から他方の側面側にスライド移動させ始めると、該第二の操作部２５の背面側に設けられたラック２５ｂとピニオン２６の歯の噛み合いにより、ピニオンは図中において反時計回りに回転を始める。同時に、ピニオン２６の歯と噛み合っている選択端子部２２Ｂの前面側に設けられたラック２２Ｂ１には力が伝達され、前記第二の操作部２５をスライド移動させる方向とは反対の方向に移動を始める。ラックとピニオンの歯は１対１で対応しているため、第二の操作部２５の移動量と選択端子部２２Ｂの移動量は同じであり、第二の操作部２５を他方の側面側に移動させ終えた場合には、選択端子部２２Ｂも初期位置から他方の側面側に移動し終える（図１４（ｃ）、（ｄ））。
【０１０２】
この状態では、固定端子部２２Ａには母線Ｌ２が接続され、選択端子部２２Ｂには母線Ｌ１と接続される場合であるから、回路遮断器に供給される電圧値は２００Ｖとなる。選択端子部２２Ｂの位置する前面側においては、選択端子部２２Ｂが位置しない側の連通孔２１ｂ４並びに電圧表示部２７の一部は第二の操作部２５のベースにより隠蔽され、選択端子部２２Ｂが位置する側の連通孔２１ａ４並びに電圧表示部２７の一部が現れている。この場合の電圧表示部２７は２００Ｖの文字が表示される。
【０１０３】
このように第二の操作部２５をスライド移動させる方向とは反対の方向に選択端子部２２Ｂを移動させるよう構成しているから、選択端子部２２Ｂを母線と接続する位置において、常にその前面側に、分岐開閉器に供給される予定の電圧値の表示と、選択端子部２２Ｂが位置する側の連通孔が露出される。
【０１０４】
選択端子部が位置しない側に設けられて、分岐開閉器に供給される予定の電圧値の表示部と、連通孔は前記第二の操作部２５のベースの背面側に位置して隠蔽されるよう構成しているから、器体の前面側から端子部を臨んだ場合には、プラグイン端子の位置と器体の前面に露出する連通孔と電圧表示部とが連携することにより、分岐開閉器と母線とを選択的に接続する前や、分岐開閉器と母線を接続した後であっても、視覚的に、どの分岐開閉器がどの分岐線を選択して接続されているか、又、供給される予定の電圧値を、負荷回路に実際に供給する前に把握でき、電圧の測定作業を直接的になおかつ容易に行いやすい。
【０１０５】
また、器体の端子部における前面側の、第二の操作部に隠蔽されない略全面を電圧表示部として用いることができるため、供給が予定される電圧値を大きく表示することができ、視認性がよくなり、高所、狭い場所などで作業をする者にとって電圧測定作業の誤りを生じさせにくく、電圧測定作業性が高い構造を提供することができる。
【０１０６】
なお、選択端子部の刃受と分岐開閉器の内部の主導体とはより線を用いて接続されており、前記幅方向に連続的に移動するときの妨げにならないよう、移動量分の余裕を持たせた長さとしている。
【０１０７】
また、前記電圧表示部における電圧の表示は、文字による表示の他、器体の幅方向における略中央部を境に色分けを行ったり、その他接続する母線（分岐線）の種類を記載することにより行ってもよい。色分けは、給電される電圧を識別するために赤と白、赤と黒というように、各々で色相を違えたり、また、明度、彩度を違えて構成するとよい。また、母線の種類をＬ１、Ｎというように文字で表示したり、記号を用いて表示し、色分けと文字と記号による表示を組み合わせて行ってもよい。
【０１０８】
また、図１４の２８で示したように、器体の電源側端子部の前面側に、第二の操作部２５を幅方向に移動させる場合に、該第二の操作部２５の背面側と当接し、弾性的に乗り越え可能な程度に凸部２８を設けて構成してもよい。これにより、第二の操作部２５を一方の位置から他方の位置に移動させるときに、前記凸部２８を乗り越えることにより適度なクリック感が得られ、作業者は、視覚的及び触覚的に選択端子部２２Ｂを切替えたことを認識することができる。
【０１０９】
（供給電源電圧の測定作業について）
分岐開閉器２に供給される電源電圧を測定する場合には、分岐開閉器２を母線に接続した後において、前記操作ハンドル２４をオフにした状態で、電圧測定器のテストリードの棒端子の一方を、器体の前面ａ側から選択端子部２２Ｂが位置する側の連通孔２１に差込み、該選択端子部２２Ｂに内包した刃受であるプラグイン端子２２Ｂ３又は該プラグイン端子が接続される分岐線と当接させ、前記テストリードの他方の棒端子を、前記母線側電圧測定部３１、３２に当接、又は接続バー側電圧測定部１４１、１４２に挿入することで、分岐開閉器の負荷側には電源を供給させずに、分岐開閉器に供給される電圧を測定することができる。
【０１１０】
このとき、母線側電圧測定部、接続バー側電圧測定部には、テストリード脱落防止手段を備えているから、テストリードから手を離しても該テストリードは母線側電圧測定部、接続バー側電圧測定部から脱落せず、作業性良く電圧測定作業を行うことが可能となる。
【０１１１】
上側の列の分岐開閉器に対して電源電圧の測定作業を行うときには、母線側電圧測定部３１又は接続バー側電圧測定部１４１を利用し、一方のテストリードの棒端子を該母線側電圧測定部３１又は接続バー側電圧測定部１４１に保持させて、他方の棒端子を分岐開閉器側電圧測定部２０４、２０３、２０２、２０１に順々に当接させていき、続いて、下側の列の分岐開閉器に対して電圧の測定作業を行うときには、前記母線側電圧測定部３１又は接続バー側電圧測定部１４１に保持させた棒端子を取り外して、母線側電圧測定部３２又は接続バー側電圧測定部１４２に保持させたうえで、他方の棒端子を分岐開閉器側電圧測定部２０８、２０７、２０６、２０５に順々に当接させていき、電圧の測定作業を行うとよい。
【０１１２】
このように、分岐開閉器に供給される電源電圧がいくらであるのかを測定する場合には、まずはハンドル２４をオフ側に操作したうえで、器体の前面側に露出している連通孔に対して、電圧測定装置のテストリードの棒端子を差込む、即ち、
前記テストリードの棒端子の一方を、母線側電圧測定部又は接続バー側電圧測定部のテストリード脱落防止手段に保持させ、テストリードの棒端子の他方を、器体の前面ａ側からみて露出している側の連通孔に差込むことにより該選択端子部２２Ｂに内包したプラグイン端子２２Ｂ３又は該端子２２Ｂ３に接続される分岐線と当接させて、分岐開閉器の負荷側には電源を供給させずに、分岐開閉器に供給される電圧を測定でき、電圧測定にあたり必要のない連通孔は前面側には露出しないから、作業者は、露出している連通孔に対しテストリード測定を行えばよい。
【０１１３】
このため、電源電圧測定の誤りを起こしにくく、また、電圧表示部２７により、供給される予定の電圧値が表示されるから、前記電圧測定装置による測定結果と、電圧表示が異なっていた場合には、何らかの異常が発生していることが容易に認識でき、早期に異常の解決に向けて取り組むことができる。また、本実施形態においては、個々の回路遮断器毎に電圧測定に加えて相間の絶縁測定を行うこともできる。
【０１１４】
尚、本発明は、上記実施形態に限定されるものではなく、本発明の要旨を逸脱しない範囲で種々の変更が可能である。
【０１１５】
例えば、母線側電圧測定部又は接続バー側電圧測定部におけるテストリード脱落防止手段として、単純な丸孔の他、孔をだるま型に形成し、各々の孔の大きさを変えることにより、テストリードの棒端子がより引っ掛かりやすくなるよう構成してもよい。より詳しくは、下側の孔に対して上側の孔を小さく形成し、棒端子が引っ掛かりやすくなるよう構成してもよい。
【０１１６】
あるいは、電線の端子台の接続手段として用いられる銅部材にばねにより対象物を圧接させて導通を得る速結端子構造を母線側電圧測定部又は接続バー側電圧測定部に形成し、本テストリード脱落防止手段として用いて、棒端子の抜き差しをより確実に行うよう構成してもよい。この場合も、棒端子を差し込みやすいように差込口を住宅用分電盤の前面側に向けて設けるとよい。
【０１１７】
また、電圧測定器の本体を住宅用分電盤側に保持させるべく、電圧測定器本体の保持手段を住宅用分電盤に設けて構成してもよい。
【０１１８】
この場合には、住宅用分電盤におけるケースに、前記電圧測定器本体又は測定器本体に設けられる持ち運び用ベルトを引掛け可能なフックを取付けて保持手段を構成したり、
電圧測定器本体を収納できるポケット部を住宅用分電盤のケースに取付けて構成してもよい。
【０１１９】
電圧測定器本体の保持手段に電圧測定器を保持させたときには、電圧測定器本体の電圧値読取部（計器、モニタ等）が、作業者から視認しやすいよう、保持角度の調整手段を設けて、作業者の方向に前記電圧値読取部を向けて保持できるよう構成するとなおよい。
【０１２０】
（分岐開閉器の取付について）
次に，分岐開閉器の母線への取付け方法について補足しておく。
【０１２１】
分岐開閉器は、前記分岐線が延出する方向から取付けていく。図１５において，分岐開閉器２の取付けの際は，分岐開閉器の電源側端子２２Ｂと，前記分岐線とが対向するように，前記分岐開閉器取付板３に載置し，分岐線の方向に押圧してスライドさせていき、分岐線に対して電源側端子部２２Ｂを押し付けるようにして取付ける。
【０１２２】
前記分岐開閉器２の電源側端子は、一つの共通端子２２Ａと一つの選択端子２２Ｂとの何れもが、ねじ締めの必要なく接続が行えるプラグイン端子で構成しているから，該プラグイン端子が分岐線の方向に押圧されることにより，プラグイン端子が分岐線をくわえ込み，分岐線との接続を完了する。
【０１２３】
一部の分岐開閉器において電圧を切替える場合においては，一旦，母線から分岐開閉器を取り外し，該分岐開閉器の選択端子２２Ｂの位置を他方に移動させた上で，再度母線の方向に押圧して取付け作業を行う。このときには，視覚的に，分岐開閉器における選択端子２２Ｂの位置が変わり，また，該選択端子２２Ｂと接続される前記分岐線の位置関係が変わるが，その変化を容易に把握できるから，作業者は分岐開閉器に供給される予定の電圧値の大きさを明確に把握でき，接続が正しいか否かを視覚的にも容易に判断でき，電圧測定の作業効率が上がるとともに，誤接続等が極力防止されて、負荷機器の電気的故障を未然に防止する効果が期待できる。
【符号の説明】
【０１２４】
１  主開閉器
２  分岐開閉器
３  取付板
４  取付板
５  絶縁部材
６  絶縁壁
１１  母線（Ｌ１）
１２  母線（Ｌ２）
１３  母線（Ｎ）
１００  内部ユニット
１１０１ａ  Ｌ１の分岐線
１２０１ａ  Ｌ２の分岐線
１３０１ａ  Ｎの分岐線
１４  接続バーカバー
１１０  接続バー
１１１  第一の孔部
１２０  接続バー
１２１  第一の孔部
１３０  接続バー
２１  連通孔
２２Ａ  電源側端子
２２Ｂ  電源側端子
２３  負荷側端子
２４  操作ハンドル
２５  操作部
２６  ピニオン
２７  電圧表示部
【図１】
2011142800.tif 000003
【図２】
2011142800.tif 000004
【図３】
2011142800.tif 000005
【図４】
2011142800.tif 000006
【図５】
2011142800.tif 000007
【図６】
2011142800.tif 000008
【図７】
2011142800.tif 000009
【図８】
2011142800.tif 000010
【図９】
2011142800.tif 000011
【図１０】
2011142800.tif 000012
【図１１】
2011142800.tif 000013
【図１２】
2011142800.tif 000014
【図１３】
2011142800.tif 000015
【図１４】
2011142800.tif 000016
【図１５】
2011142800.tif 000017
【図１６】
2011142800.tif 000018
【図１７】
2011142800.tif 000019
【図１８】
2011142800.tif 000020
【図１９】
2011142800.tif 000021
【図２０】
2011142800.tif 000022
【図２１】
2011142800.tif 000023
【図２２】
2011142800.tif 000024